(57)【特許請求の範囲】
【請求項１】
被調理物または被調理物が収容された容器が置かれるトレーが調理室に設けられ、前記トレーに回転力を伝達するトレー駆動部が駆動室に設けられる電子レンジにおいて、前記トレーがその設置位置から離脱されないように支持するトレー支持手段を備え、前記トレー支持手段は、前記トレー駆動部の駆動軸に形成された結合部と、前記結合部に着脱可能に圧入される被結合部と、前記被結合部から延長され前記トレーに係止支持されるホック部とを含み、
前記結合部または前記被結合部には少なくとも１つのスロットが放射状で形成されていることを特徴とする電子レンジ。
【請求項２】
被調理物または被調理物が収容された容器が置かれるトレーが調理室に設けられ、前記トレーに回転力を伝達するトレー駆動部が駆動室に設けられる電子レンジにおいて、前記トレーがその設置位置から離脱されないように支持するトレー支持手段を備え、前記トレー支持手段は前記トレーの下面に形成される被結合部と、前記被結合部に着脱可能に圧入されるようにトレー駆動部の駆動軸に形成される結合部とを含み、
前記結合部または前記被結合部には少なくとも１つのスロットが放射状で形成されていることを特徴とする電子レンジ。
【請求項３】
前記被結合部と結合部間にローラーを備える回転ガイド部が更に設けられることを特徴とする請求項１に記載の電子レンジ。
【請求項４】
前記ホック部は前記トレーに少なくとも一つに少なくとも３点係止支持されることを特徴とする請求項１または３に記載の電子レンジ。
【発明の詳細な説明】
【０００１】
【発明の属する技術分野】
本発明は電子レンジに係わり、もっと詳しくは、車輛などの移動手段に搭載されて使用する時、振動、衝撃、傾斜などによるトレーの離脱を防止することができる電子レンジに関する。
【０００２】
【従来の技術】
通常の電子レンジは常用の交流電源が必要になるために、交流電源が備えられている厨房などで主に使用されてきたが、最近では、直流電源でも作動できる交流／直流兼用電子レンジが開発され、一般の家庭または飲食店の厨房だけではなく、野外でも便利に使用することができるようになった。
【０００３】
このような電子レンジは図１および図２に図示されている。図１および図２を参照すると、電子レンジは被調理物が投入され調理される調理室２と、調理室に高周波および／または熱風を供給するための各種電装品が内装される駆動室２とに区画されたキャビネット１を備える。
【０００４】
前記調理室２には、図２のように、被調理物または被調理物が収容された容器が置かれるトレー５と、該トレー５が回転可能に支持される回転ガイド６とが設けられる。前記駆動室３には、前記トレー５に回転力を伝達するためのトレー駆動部８と、前記調理室２に高周波を供給するためのマグネトロン９と、該マグネトロン９から発生された高周波を前記調理室に誘導するための導波管１０とが設けられる。
【０００５】
前記トレー５は前記トレー駆動部８の駆動軸８ａと結合される。前記回転ガイド６はその中心部に前記駆動軸８ａと大抵同一な直径を有する挿入孔が形成された挿入部と、該挿入部から放射状で延長される分岐部とを備える。前記回転ガイド６の挿入部の挿入孔に前記駆動軸８ａが挿入され、前記分岐部の端部には前記調理室２の底面と前記トレー５の下面とそれぞれ接触する多数のローラー７が設けられる。
【０００６】
したがって、駆動室３のマグネトロン９から発生された高周波が導波管１０を通って調理室２に供給され、これによってトレー５の上に置かれた被調理物が調理される。この時、トレー５は被調理物に高周波が均一に照射されるようにその駆動部８により回転する。
【０００７】
しかしながら、前記トレー５は自重によりその駆動部の駆動軸８ａに単純結合されているために、前記トレー５の自重を越える外力が加えられる場合には、前記トレーはその設置位置、つまり、駆動部の駆動軸８ａから離脱される問題点がある。このような問題点は電子レンジが車輛に搭載された状態で運行されるとか、または、他の場所に運搬される過程で振動、衝撃、傾斜を伴う場合に更に深刻になる。この時、トレー５はその設置位置から離脱され調理室２の壁面と衝突されることになり、その結果、調理室が損なわれるか、または、トレー自体が損なわれる問題点がある。
【０００８】
【発明が解決しようとする課題】
本発明は前述した問題点を解決するために案出されたもので、振動、衝撃、傾斜などによりトレーがその設置位置から離脱されることを防止することによって調理室の損傷およびトレー自体の損傷を防止する電子レンジを提供することにその目的がある。
【０００９】
【課題を解決するための手段】
前記の目的を達成するために、本発明は、被調理物または被調理物が収容された容器が置かれるトレーが調理室に設けられ、前記トレーに回転力を伝達するトレー駆動部が駆動室に設けられる電子レンジにおいて、前記トレーがその設置位置から離脱されないように支持するトレー支持手段を備え、前記トレー支持手段は、前記トレー駆動部の駆動軸に形成された結合部と、前記結合部と着脱可能に圧入される被結合部と、前記被結合部から延長され前記トレーに係止支持されるホック部とを更に含むことを特徴とする電子レンジを提供する。
【００１０】
【発明の実施の形態】
以下、本発明の好ましい実施形態を添付した図面を参照し、もっと詳しく説明する。
本発明の好ましい実施形態が添付図面図３乃至図５を参照にして詳細に説明される。
本発明の第１実施形態を図示した図３および図４を参照するに、調理室１２には被調理物または被調理物が収容された容器が置かれるトレー１５が回転可能に設けられる。前記トレー１５を回転可能に支持することと共にその設置位置から離脱されないように支持するトレー手段が設けられる。駆動室１３には前記トレー１５に回転力を伝達するトレー駆動部１８と、該トレー駆動部１８と連動して調理室１２に高周波を供給するマグネトロン１９などが設けられる。
【００１１】
前記トレー支持手段は、図４の分解斜視図のように、トレー駆動部１８の駆動軸１８ａに形成された結合部１８ｂと、該結合部１８ｂに着脱可能に圧入される被結合部２０ａと、該被結合部２０ａから放射状で延長されトレー１５の周縁に係止支持されるホック部２０ｂを含む。
【００１２】
前記結合部１８ｂと被結合部２０ａは手動で加えられる所定の外力により圧入および分離されることもできるが、外部の振動、衝撃、または傾斜により分離されることを防止することができるように嵌合される。たとえば、結合部１８ｂが切頭円錐形の突出部であれば、被結合部２０ａはその突出部に対応する切頭円錐形の挿入部である。または結合部１８ｂが切頭円錐形の挿入部であれば、被結合部２０ａはその挿入部に対応する切頭円錐形の突出部である。結合部１８ｂと被結合部２０ａのいずれかの一つには、相互結合される時、弾力的に拡張または収縮されるように少なくとも一つのスロットが放射状で形成される。
【００１３】
前記ホック部２０ｂは構造的な安定のために少なくとも３点が支持されるように形成され、前記被結合部２０ａに対して上向に傾斜するように形成されることが好ましい。また、前記ホック部２０ｂは所定の弾性力を持つように形成されることにより、トレー１５の周縁に容易に係止されることができる。
【００１４】
一方、前記ホック部２０ｂはトレー１５の周縁以外の部分に支持されることもあることに気づくべきである。たとえば、ホック部２０ｂがトレー１５の下面に支持される場合、前記ホック部２０ｂと着脱可能に圧入され得る一対の突出部がトレー１５の下面に少なくとも３個所に放射状で形成され得る。また、前記ホック部２０ｂが被結合部２０ａに分離可能に嵌められるように被結合部２０ａの円周を沿って挿入溝が形成され得る。そして前記被結合部２０ａは回転ガイド１６と一体で形成されるかまた着脱可能に圧入され得る。特に、前記被結合部２０ａが回転ガイド１６に着脱可能に圧入される場合、前記被結合部２０ａと回転ガイド１６は前記被結合部２０ａと結合部１８ｂとの結合方式と同一に形成される。
【００１５】
本発明の第２実施形態を図示した図５を参照するに、前記トレー支持手段は、前記トレーの下面中心に形成された被結合部３０ａと、該被結合部３０ａに着脱可能に圧入されるトレー駆動部１８の駆動軸１８ａに形成された結合部３０ｂとを含む。前記被結合部３０ａは図４の被結合部２０ａと同じく手動で加えられる所定の外力により結合部３０ｂに圧入または分離されることもあるが、外部の振動、衝撃、または傾斜により分離されることを防止することができるように嵌合される。したがって、結合部３０ｂが四角鋸歯形状の突起であれば、被結合部３０ａは結合部３０ｂの四角鋸歯形状に対応する形状の溝である。または結合部３０ｂが四角鋸歯形状の溝であれば、被結合部３０ａは結合部３０ｂの溝に対応する四角鋸歯形状の突起である。ところが、図４の構成と異なる点はトレー１５の材質が硝子のような無機材料であるため、結合部３０ｂにのみ少なくとも一つのスロット３０ｄが放射状で形成され、結合部３０ｂが被結合部３０ａと結合するとき、弾力的に拡張または収縮される点である。
【００１６】
図４および図５にそれぞれ図示した結合部１８ｂ、３０ｂはトレー駆動部１８の駆動軸１８ａ自体に形成され得ることもあるが、トレー駆動部１８の駆動軸１８ａと固定的に結合されるカップリングに形成され得ることもある。また，結合部と被結合部１８ｂ、２０ａ；３０ｂ、３０ａは振動、衝撃、または傾斜により分離されないが、手動で分離し得る程度の外力が加えられる場合、互いに分離されるように嵌合され得る。
【００１７】
本発明によれば、調理室に被調理物または被調理物が収容された容器が置かれるトレーを回転可能に支持するトレー支持手段が設けられているために、電子レンジが車輛に搭載されて使用されるとか、または、他の場所に運搬される過程で、振動、衝撃、傾斜によりトレーがその設置位置から離脱されることがない。したがって、トレーの分離による調理室の損傷およびトレー自体の損傷が防止され得る。
【００１８】
以上では、本発明の好ましい実施形態について図示し、また説明したが、本発明は上述した特定の好ましい実施形態に限定されなく、請求範囲で請求する本発明の要旨を外すことなく当該発明に属する技術分野で通常の知識を有する者なら多様な変形実施が可能である。
【図面の簡単な説明】
【図１】  一般の電子レンジを示す断面図である。
【図２】  図１のトレーおよびその関聯構成を示す分解斜視図である。
【図３】  本発明による第１実施形態を採用する電子レンジを示す断面図である。
【図４】  本発明による第１実施形態を示す分解斜視図である。
【図５】  本発明による第２実施形態を示す分解斜視図である。
【符号の説明】
１２  調理室
１３  駆動室
１５  トレー
１６  回転ガイド
１８  トレー駆動部
１８ａ  駆動軸
１８ｂ  結合部
１９  マグネトロン
２０ａ  被結合部
２０ｂ  ホック部
【図１】
0004101453.tif 000002
【図２】
0004101453.tif 000003
【図３】
0004101453.tif 000004
【図４】
0004101453.tif 000005
【図５】
0004101453.tif 000006